(57)【要約】【課題】冷却機能の低下を抑制しつつフィルタ部材の長寿命化を図る上で有利なプロジェクタ装置を提供する。【解決手段】ファン４０の回転により、吸気口２０から筐体１２内部に取り込まれた外気は、フィルタ本体４４の外周面から内周部に至り塵埃が円筒状を呈するフィルタ本体４４で除去されたのち、ファン４０の吸い込み口４０Ａに吸い込まれる。ファン４０の吸い込み口４０Ａに吸い込まれた外気は、光源装置１４、映像投影部１６を通ることにより、これら光源装置１４、映像投影部１６を冷却する。光源装置１４、映像投影部１６を冷却した外気は、排気口２２から筐体１２の外部に排出される。この際、フィルタ本体４４が回転駆動部４８により回転されると、フィルタ本体４４が回転される毎に、フィルタ本体４４の外周面から内周部に外気が通過するフィルタ本体４４の箇所が変化する。【選択図】図１
2010286704.tif 000002
【特許請求の範囲】
【請求項１】
吸気口および排気口が形成された筐体と、
前記筐体に収容された光源装置と、
前記筐体に収容され、前記光源装置からの光を用いて画像投影光束を生成し出射して画像をスクリーンに投影する映像投影部と、
前記光源装置と前記映像投影部とを冷却する冷却装置とを備え、
前記冷却装置は、前記吸気口からエアフィルタ部、前記光源装置、前記映像投影部を通って前記排気口に至る冷却路と、外気を前記吸気口から吸い込んで前記冷却路に流動させ前記排気口から前記筐体の外部に排出させるファンとを有し、
前記エアフィルタ部は、
円筒状のフィルタ本体と、
前記フィルタ本体を支持するフィルタ支持体と、
前記フィルタ支持体を前記フィルタ本体の中心軸を中心として回転する回転駆動部とを備え、
前記エアフィルタ部において、外気が前記フィルタ本体の外周面から内周部に至り塵埃が前記フィルタ本体で除去されたのち前記フィルタ本体の軸方向に沿って該フィルタ本体の外部に流されるように構成されている、
プロジェクタ装置。
【請求項２】
前記フィルタ支持体は、前記フィルタ本体の軸方向の両端にそれぞれ露出し前記フィルタ本体と同軸上で環状に延在する環板部を備え、
前記エアフィルタ部は、各環板部の周方向に間隔をおいた複数箇所において前記環板部に回転可能に当接し前記フィルタ本体を回転可能に支持する複数のローラを更に備え、
前記回転駆動部は、前記複数のローラのうち下方に位置するローラを回転駆動する、
請求項１記載のプロジェクタ装置。
【請求項３】
前記エアフィルタ部は、前記フィルタ本体および前記フィルタ支持体が収容され蓋板により開閉されるフィルタ収容室を更に備え、
前記蓋板は、前記フィルタ本体の外周面の上部に対向する上面部と、前記フィルタ本体の外周面の上下中間部に対向する側面部とを有し、
前記側面部に前記吸気口が形成されており、
前記複数のローラは、前記環板部の上部に当接する上部ローラと、前記環板部の上下中間部に当接する側部ローラとを含み、
前記上部ローラと前記側部ローラは前記蓋板に支持されている、
請求項２記載のプロジェクタ装置。
【請求項４】
前記エアフィルタ部は、前記フィルタ本体の外周面に接触するように設けられたブラシと、前記ブラシにより掻き取られた塵埃を収容する塵埃収容部とを更に備える、
請求項１記載のプロジェクタ装置。
【請求項５】
前記回転駆動部は、前記フィルタ支持体を正逆転するように構成され、
前記塵埃収容部は、前記ブラシが前記フィルタ本体の外周面に接触する箇所に対して、前記外周面の回転方向の上流側と下流側にそれぞれ設けられている、
請求項４記載のプロジェクタ装置。
【請求項６】
前記塵埃収容部は、前記筐体の底部に設けられ、
前記塵埃収容部が設けられた筐体の底部の箇所は、残りの筐体の箇所に対して取り外し可能に設けられている、
請求項４または５記載のプロジェクタ装置。
【発明の詳細な説明】
【技術分野】
【０００１】
本発明はプロジェクタ装置に関する。
【背景技術】
【０００２】
筐体と、筐体に収容された光源装置と、筐体に収容され光源装置で発生された光から画像投影光束を生成して出射し画像をスクリーンに投影する映像投影部とを備えるプロジェクタ装置が提供されている。
上記光源装置は、光を発生するランプとして高出力の放電ランプを用いている。
また、映像投影部は、光源装置から発せられた光を変調する液晶パネルなどの光変調器、ランプから発せられた光が通過する各種の光学素子を備えている。
光源装置はランプの発光動作に伴い高温となり、また、映像投影部は光変調器および各種の光学素子が光源装置からの光を受けることにより高温となる。
したがって、光源装置および映像投影部に冷却用の空気を当てて冷却することが、光源装置および映像投影部の動作を安定化させ、また、寿命を延ばす上で必要となる。
【０００３】
そこで、従来から、プロジェクタ装置には、外気を筐体内に導き光源装置と映像投影部を冷却した後筐体外に排出させる冷却装置が設けられている。
このような冷却装置として、筐体に設けられた吸気口および排気口と、吸気口の近傍に設けられた板状のエアフィルタと、ファンとを有したものが提供されている。
ファンは、外気を吸気口からエアフィルタを介して筐体内に吸引すると共に、光源装置と映像投影部を冷却した後排気口から筐体外に排出させる。
エアフィルタは、外気が通過することで外気から塵埃を除去することにより、光源装置および映像投影部に塵埃が付着することを防止している。
【０００４】
しかしながら、エアフィルタは、冷却装置の動作時間が経過するにしたがって塵埃が付着していき、やがて目詰まりを起こす。
目詰まりが生じると、エアフィルタを通過する空気量が低下するため、冷却機能が低下し光源装置と映像投影部を十分に冷却することができなくなってしまう。
そのため、ユーザは筐体のカバーを分解して筐体内部のエアフィルタを交換する作業を頻繁に行う必要があり、このエアフィルタの交換作業はユーザにとって面倒なものとなっている。
そこで、エアフィルタを供給ロールに巻回しておき、供給ロールから繰り出したエアフィルタを使用するようにしたプロジェクタ装置が提供されている（特許文献１参照）。
このプロジェクタ装置では、塵埃が付着して目詰まりを生じたエアフィルタの部分を順次巻き取りロールに巻き取ることで、未使用のエアフィルタの部分を使用するようにしている。
【先行技術文献】
【特許文献】
【０００５】
【特許文献１】特開平８−１１５２２４２号公報
【発明の概要】
【発明が解決しようとする課題】
【０００６】
しかしながら、吸気口からエアフィルタを通過して筐体内部に流れる外気は、エアフィルタの面全体に対して均一に分布しておらず、エアフィルタの面のうちの一部分に集中する場合が多い。
そのため、外気に含まれる塵埃はエアフィルタの一部に集中して付着することになり、エアフィルタの一部に塵埃による目詰まりが生じやすくなる。
この場合、エアフィルタの他の部分が目詰まりを生じていないにもかかわらず、エアフィルタを通過する空気量が低下するため、冷却機能が低下してしまうことになる。
そのため、目詰まりしたエアフィルタの部分を巻き取って未使用のエアフィルタの部分を使用するようにしなくてはならず、エアフィルタ、言い換えると、フィルタ部材を無駄に消費してしまうという不都合があった。
本発明はこのような事情に鑑みなされたものであり、その目的は冷却機能の低下を抑制しつつフィルタ部材の長寿命化を図る上で有利なプロジェクタ装置を提供することにある。
【課題を解決するための手段】
【０００７】
上述の目的を達成するため、本発明のプロジェクタ装置は、吸気口および排気口が形成された筐体と、前記筐体に収容された光源装置と、前記筐体に収容され、前記光源装置からの光を用いて画像投影光束を生成し出射して画像をスクリーンに投影する映像投影部と、前記光源装置と前記映像投影部とを冷却する冷却装置とを備え、前記冷却装置は、前記吸気口からエアフィルタ部、前記光源装置、前記映像投影部を通って前記排気口に至る冷却路と、外気を前記吸気口から吸い込んで前記冷却路に流動させ前記排気口から前記筐体の外部に排出させるファンとを有し、前記エアフィルタ部は、円筒状のフィルタ本体と、前記フィルタ本体を支持するフィルタ支持体と、前記フィルタ支持体を前記フィルタ本体の中心軸を中心として回転する回転駆動部とを備え、前記エアフィルタ部において、外気が前記フィルタ本体の外周面から内周部に至り塵埃が前記フィルタ本体で除去されたのち前記フィルタ本体の軸方向に沿って該フィルタ本体の外部に流されるように構成されているものである。
【発明の効果】
【０００８】
本発明によれば、フィルタ本体を円筒状とし、回転駆動部によってフィルタ本体を回転させるようにした。
そのため、フィルタ本体を通過する外気の空気量がフィルタ本体の外周面に対して均一に分布しておらず、一部に集中して通過したとしても、フィルタ本体が回転するため、塵埃がフィルタ本体の一部に集中して付着することが抑制される。
したがって、フィルタ本体を長期間にわたって使用しても、通過する空気量が低下しにくく、冷却機能の低下を抑制する上で有利となり、フィルタ本体の長寿命化を図る上で有利となる。
【図面の簡単な説明】
【０００９】
【図１】本実施の形態のプロジェクタ装置１０を示す斜視図である。
【図２】図１の平面図である。
【図３】図１の正面図である。
【図４】プロジェクタ装置１０の構成を示す構成図である。
【図５】（Ａ）はエアフィルタ部３６の正面図、（Ｂ）は（Ａ）のＢ矢視図、（Ｃ）は（Ａ）のＣ矢視図である。
【図６】フィルタ収容室４２の蓋板５０が閉塞された状態を示す正面図である。
【図７】フィルタ収容室４２の蓋板５０が開放された状態を示す正面図である。
【図８】フィルタ収容室４２の蓋板５０が閉塞された状態を示す側面図である。
【図９】フィルタ収容室４２の蓋板５０が開放された状態を示す側面図である。
【図１０】（Ａ）はフィルタ支持体４６に支持されたフィルタ本体４４の正面図、（Ｂ）は（Ａ）のＢ矢視図、（Ｃ）は（Ａ）のＣ矢視図である。
【図１１】（Ａ）は図１０（Ａ）のＸＸ線断面図、（Ｂ）は図１０（Ｂ）のＹＹ線断面図である。
【図１２】ブラシ６０および塵埃収容室６２の構成を示す説明図である。
【図１３】第２の実施の形態におけるブラシ６０および塵埃収容室６２の構成を示す説明図である。
【図１４】第３の実施の形態におけるエアフィルタ部３６の構成を示す説明図である。
【図１５】第４の実施の形態におけるエアフィルタ部３６の構成を示す説明図である。
【発明を実施するための形態】
【００１０】
（第１の実施の形態）
次に、本発明の実施の形態について図１乃至図１２を参照して説明する。
図１乃至図３に示すように、プロジェクタ装置１０は、筐体１２と、光源装置１４と、映像投影部１６と、冷却装置１８とを含んで構成されている。
筐体１２は、高さと、高さよりも大きな寸法の長さと、長さよりも大きな寸法の幅とを有し、扁平な矩形板状に形成されている。
筐体１２は、前面１２Ａ、後面１２Ｂ、上面１２Ｃ、下面１２Ｄ、左右の側面１２Ｅ、１２Ｆを備えている。
なお、本実施の形態では、プロジェクタ装置１０をスクリーン２側から見た状態で、スクリーン側を前方、その反対側を後方とし、左右はプロジェクタ装置１０を前方から見た状態でいうものとする。
【００１１】
前面１２Ａで幅方向のほぼ中央の箇所に、レンズ鏡筒３４が設けられている。
右側面１２Ｆに、外気を筐体１２の内部に取り込む吸気口２０が設けられている。
本実施の形態では、吸気口２０は右側面１２Ｆに多数設けられたスリットで構成されている。
左側面１２Ｅに、筐体１２内部の空気を外部に排出する排気口２２が設けられている。
本実施の形態では、排気口２２は左側面１２Ｅの全域にわたって多数設けられたスリットで構成されている。
【００１２】
図２、図３に示すように、筐体１２に、光源装置１４と、映像投影部１６と、冷却装置１８とが収容されている。
本実施の形態では、筐体１２を平面視した状態で筐体１２の幅方向の左から右に、光源装置１４と、映像投影部１６と、冷却装置１８とがこの順番で並べられて配置されている。
【００１３】
図４に示すように、光源装置１４は、電源部１４Ａと、ランプ１４Ｂを有している。
電源部１４Ａは、ランプ１４Ｂに電力を供給するものである。
ランプ１４Ｂは、電源部１４Ａから供給される電力によって駆動されることにより画像投影用光を生成するものであり、可視域でスペクトルを有する光を照射する白色光源が用いられる。
このようなランプ１４Ｂとして、キセノンランプ、高圧水銀ランプ、メタルハライドランプなどの連続スペクトルの光源など従来公知のさまざまな光源を用いることができる。
ランプ１４Ｂは、発光動作に伴い高温となることから、ランプ１４Ｂに冷却用の空気を当てて冷却することがランプ１４Ｂの輝度を確保し（言い換えると動作の安定化を図り）、また、ランプ１４Ｂの寿命を延ばす上で必要となる。
【００１４】
図４に示すように、映像投影部１６は、光源装置１４の光を用いて画像投影光束を生成し、該画像投影光束を出射して画像をスクリーン２に投影するものである。
映像投影部１６は、照明光学部２４、分離部２６、画像変調部２８、画像合成部３０、投影光学系３２を含んで構成されている。
照明光学部２４は、光源装置１４から出射された光の一部をカットし該光の照度を均一として分離部２６に導くものである。
本実施の形態では、照明光学部２４は、紫外線および赤外線をカットする紫外線、赤外線カットフィルタ２４Ａ、光の照度を均一化するための２枚のフライアイレンズ２４Ｂ、２４Ｃ、偏光変換素子２４Ｄ、コンデンサーレンズ２４Ｅを含んで構成されている。
なお、紫外線、赤外線カットフィルタ２４Ａによって光源装置１４から出射された光に含まれる紫外線および赤外線をカットすることで、分離部２６、画像変調部２８、画像合成部３０、投影光学系３２を構成する各種光学部品の加熱や劣化の防止が図られている。
【００１５】
分離部２６は、照明光学部２４から導かれた照度が均一化された光（白色光）を赤色（Ｒ）、緑色（Ｇ）、青色（Ｂ）の３色の光に分離するものである。
分離部２６は、例えば、複数のダイクロイックミラーなどを含んで構成されている。
詳細に説明すると、本実施の形態では、分離部２６は、第１、第２のダイクロイックミラー２６０２、２６０４、第１乃至第３のミラー２６０６、２６０８、２６１０で構成されている。
第１のダイクロイックミラー２６０２は、照明光学部２４から導かれた光のうち、赤色（Ｒ）および緑色（Ｇ）の光を透過し、かつ、青色（Ｂ）の光を反射するように構成されている。
第２のダイクロイックミラー２６０４は、第１のダイクロイックミラー２６０２を透過した赤色（Ｒ）および緑色（Ｇ）の光のうち、赤色（Ｒ）の光を透過し、かつ、緑色（Ｇ）の光を反射するように構成されている。
【００１６】
したがって、照明光学部２４から第１のダイクロイックミラー２６０２に導かれた光は、第１のダイクロイックミラー２６０２により、青色（Ｂ）の光と、赤色（Ｒ）および緑色（Ｇ）の光との２つの光に分離される。
第１のダイクロイックミラー２６０２で分離された青色（Ｂ）の光は第１のミラー２６０６によって反射される。
第１のダイクロイックミラー２６０２で分離された赤色（Ｒ）および緑色（Ｇ）の光のうち、緑色（Ｇ）の光は第２のダイクロイックミラー２６０４に至る。
第１のダイクロイックミラー２６０２で分離された赤色（Ｒ）および緑色（Ｇ）の光のうち、赤色（Ｒ）の光は第２のダイクロイックミラー２６０４を透過し第２のミラー２６０８を介して第３のミラー２６１０に至りこの第３のミラー２６１０で反射される。
このようにして分離部２６で分離された赤色（Ｒ）、緑色（Ｇ）、青色（Ｂ）の光が分離部２６から画像変調部２８に向けてそれぞれ出射される。
なお、分離部２６は照明光学部２４から導かれた光（白色光）を赤色（Ｒ）、緑色（Ｇ）、青色（Ｂ）の３色の光に分離する機能を有するものであればよく、分離部２６として従来公知のさまざまな構成が採用可能であることは無論である。
【００１７】
画像変調部２８は、分離部２６から導かれる赤色（Ｒ）、緑色（Ｇ）、青色（Ｂ）の３つの光をそれぞれ画像情報に基づいて変調し、画像合成部３０に供給するものである。
画像変調部２８は、赤色（Ｒ）、緑色（Ｇ）、青色（Ｂ）の３つの光のそれぞれに対応した第１乃至第３の画像変調素子２８Ｒ、２８Ｇ、２８Ｂを有している。
本実施の形態では、第１乃至第３の画像変調素子２８Ｒ、２８Ｇ、２８Ｂは、透過型の液晶表示装置（液晶ライトバルブ）で構成されている。
前記液晶表示装置は、液晶層を封止する２枚の透明基板を有する液晶表示装置本体と、液晶表示装置本体に組み込まれた偏光板とを含んで構成されている。
第１乃至第３の画像変調素子２８Ｒ、２８Ｇ、２８Ｂは、画像が表示される表示面が形成されている。
第１乃至第３の画像変調素子２８Ｒ、２８Ｇ、２８Ｂは、不図示の制御部から供給される赤、緑、青の３色の画像情報に対応する映像信号（駆動信号）が供給されることで画像を表示面に表示させる。
【００１８】
分離部２６から画像変調部２８に出射された赤色（Ｒ）の光は、第１の画像変調素子２８Ｒに照射されこの第１の画像変調素子２８Ｒを透過することで前記画像情報に基づいて変調された後、画像合成部３０に導かれる。
分離部２６から画像変調部２８に出射された緑色（Ｇ）の光は、第２の画像変調素子２８Ｇに照射されこの第２の画像変調素子２８Ｇを透過することで前記画像情報に基づいて変調された後、画像合成部３０に導かれる。
分離部２６から画像変調部２８に出射された青色（Ｂ）の光は、第３の画像変調素子２８Ｂに照射されこの第３の画像変調素子２８Ｂを透過することで前記画像情報に基づいて変調された後、画像合成部３０に導かれる。
なお、第１乃至第３の画像変調素子２８Ｒ、２８Ｇ、２８Ｂは、透過型の液晶表示装置のほか、反射型の液晶表示装置を用いてもよく、従来公知のさまざまな画像表示装置を用いることができる。また、前記画像表示装置は、前記の液晶表示装置を用いたものに限定されず、従来公知の様々な方式のものが採用可能である。
【００１９】
画像合成部３０は、画像変調部２８によって変調された赤色（Ｒ）、緑色（Ｇ）、青色（Ｂ）の３つの光を合成することで１つの画像投影光を生成し、その画像投影光を投影光学系３２に導くものである。
本実施の形態では、画像合成部３０は、クロスプリズム３０Ａで構成されている。
クロスプリズム３０Ａは、第１乃至第３の画像変調素子２８Ｒ、２８Ｇ、２８Ｂからの光が入射される互いに直交する３つの入射面３００２、３００４、３００６を有している。
また、クロスプリズム３０Ａは、赤色（Ｒ）、緑色（Ｇ）、青色（Ｂ）の３つの光を合成することで生成した画像投影光を出射する出射面３００８を備えている。
また、画像合成部３０は赤色（Ｒ）、緑色（Ｇ）、青色（Ｂ）の３つの光を合成することで１つの画像投影光を生成するものであればよく、クロスプリズム３０Ａに限定されず、従来公知のさまざまな光学素子を用いることができる。
【００２０】
投影光学系３２は、画像合成部３０から導かれた前記画像投影光を入射してスクリーン２に投射するものであり、複数のレンズを含んで構成されている。
本実施の形態では、投影光学系３２は前記のレンズ鏡筒３４に収容され、レンズ鏡筒３４の前部は、筐体１２の前面１２Ａから前方に突出して設けられている。
【００２１】
映像投影部１６を構成する照明光学部２４、分離部２６、画像変調部２８、画像合成部３０、投影光学系３２の各部は、ランプ１４Ｂから発せられた光が通過することにより高温となる。
したがって、これら各部に冷却用の空気を当てて冷却することがこれら各部の動作を安定化させ、また、寿命を延ばす上で必要となる。
【００２２】
次に本発明の要旨である冷却装置１８について説明する。
図１乃至図３に示すように、冷却装置１８は、エアフィルタ部３６と、冷却路３８と、ファン４０を含んで構成されている。
冷却路３８は、筐体１２内での外気の通路であり、吸気口２０からエアフィルタ部３６、光源装置１４、映像投影部１６を通って排気口２２に至っている。
ファン４０は、外気を吸気口２０から吸い込んで冷却路３８に流動させ排気口２２から筐体１２の外部に排出させるものである。
本実施の形態では、ファン４０は、回転羽根を有し、該回転羽根の軸方向に沿って空気を吸入し、回転羽根の半径方向外方に空気を排出するシロッコファンで構成されている。
ファン４０は、前記回転羽根の軸方向を筐体１２の前後方向に合致させて筐体１２の右側後部に配置されている。
ファン４０は、空気を吸入する吸い込み口４０Ａ（吸い込みダクト）と、空気を排出する排出口とを備えている。
なお、ファン４０としては、シロッコファンの他、軸流ファンなど従来公知のさまざまなファンが使用可能である。
【００２３】
図２、図５に示すように、エアフィルタ部３６は、フィルタ収容室４２と、フィルタ本体４４と、フィルタ支持体４６と、回転駆動部４８とを含んで構成されている。
図１０（Ａ）はフィルタ支持体４６に支持されたフィルタ本体４４の正面図、（Ｂ）は（Ａ）のＢ矢視図、（Ｃ）は（Ａ）のＣ矢視図である。図１１（Ａ）は図１０（Ａ）のＸＸ線断面図、（Ｂ）は図１０（Ｂ）のＹＹ線断面図である。
図１０、図１１に示すように、フィルタ本体４４は、円筒状を呈している。
このようなフィルタ本体４４には、例えば発泡ウレタンなどの従来公知のさまざまな合成樹脂材料が使用可能である。また、フィルタ本体４４として、空気清浄機のフィルタとして使用されている静電フィルタを使用することも可能である。
また、フィルタ本体４４は、その中心軸と平行する方向に沿って延在する谷と山とが周方向に沿って交互に形成されることで屈曲されたいわゆる蛇腹状を呈するものであってもよい。
【００２４】
フィルタ支持体４６は、フィルタ本体４４を支持するものである。
図１１（Ａ），（Ｂ）に示すように、フィルタ支持体４６は、多数の孔が形成されたパンチングメタルからなる円筒体４６Ａと、円筒体４６Ａの両端に取着された環板部４６Ｂ、４６Ｃとを備えている。
環板部４６Ｂ，４６Ｃは、フィルタ本体４４と同軸上で環状に延在している。
なお、円筒体４６Ａはパンチングメタルに限定されるものではなく、網目構造、あるいは、多数のスリットが形成された構造など、空気の流通を可能とした従来公知のさまざまな構造の材料が使用可能である。
円筒体４６Ａと環板部４６Ｂ，４６Ｃとは同軸上に配置され、フィルタ本体４４は円筒体４６Ａに装着されている。
そして、フィルタ本体４４が円筒体４６Ａに装着された状態で、環板部４６Ｂ，４６Ｃはフィルタ本体４４の軸方向の両端にそれぞれ露出している。
２つの環板部４６Ｂ，４６Ｃのうちの一方の環板部４６Ｂは端面が閉塞されて形成され、他方の環板部４６Ｃはその端面に開口４６０２が形成されている。そして、この開口４６０２からファン４０の吸い込み口４０Ａ（吸い込みダクト）がフィルタ支持体４６の内部に配置されている。
なお、図１０（Ｃ），図１１（Ｂ）において符号４７は開口４６０２の内周面の全周にわたって取着されたガスケットを示し、ガスケット４７によって開口４６０２と吸い込み口４０Ａとの隙間が閉塞されている。ガスケット４７を形成する材料は発泡ウレタンなど従来公知のさまざまな合成樹脂材料が採用可能である。
【００２５】
図６はフィルタ収容室４２の蓋板５０が閉塞された状態を示す正面図、図７はフィルタ収容室４２の蓋板５０が開放された状態を示す正面図である。
図８はフィルタ収容室４２の蓋板５０が閉塞された状態を示す側面図、図９はフィルタ収容室４２の蓋板５０が開放された状態を示す側面図である。
図６乃至図９に示すように、フィルタ収容室４２は、フィルタ本体４４およびフィルタ支持体４６が収容される箇所であり、フィルタ収容室４２は蓋板５０により開閉される。
蓋板５０は、フィルタ本体４４の外周面の上部に対向する上面部５０Ａと、フィルタ本体４４の外周面の上下中間部に対向する側面部５０Ｂとを有している。
側面部５０Ｂと反対側に位置する上面部５０Ａの箇所がヒンジ５０Ｃを介して揺動可能に筐体１２に結合されている。
本実施の形態では、上面部５０Ａが筐体１２の上面１２Ｃの右側部寄りの箇所を構成し、側面部５０Ｂが筐体１２の右側面１２Ｆの大部分を構成している。
また、吸気口２０を構成する前記多数のスリットは側面部５０Ｂの全域に設けられている。
【００２６】
図６乃至図９に示すように、回転駆動部４８は、フィルタ支持体４６をフィルタ本体４４の中心軸を中心として回転させるものである。
回転駆動部４８は、各環板部４６Ｂ，４６Ｃの周方向に間隔をおいた複数箇所において環板部４６Ｂ，４６Ｃに回転可能に当接しフィルタ支持体４６を回転可能に支持する複数のローラ５２を含んで構成されている。
複数のローラ５２は、環板部４６Ｂ，４６Ｃの上部に当接する上部ローラ５２Ａと、環板部４６Ｂ，４６Ｃの両側の上下中間部に当接する２つの側部ローラ５２Ｂ，５２Ｃと、環板部４６Ｂ，４６Ｃの下部に当接する下部ローラ５２Ｄとを含んでいる。
本実施の形態では、下部ローラ５２Ｄが回転駆動される。
この下部ローラ５２Ｄの回転駆動は、不図示のモータの出力軸に取着された駆動ローラ５４を下部ローラ５２Ｄに弾接して行ってもよく、あるいは、図３に示すように、下部ローラ５２Ｄにベルトプーリー機構５６を連結して行っても良い。
なお、回転駆動部４８によるフィルタ本体４４の回転を行うタイミングや頻度、回転を継続する時間は任意である。
例えば、プロジェクタ装置１０の電源投入時に予め定められた時間、フィルタ本体４４を回転させてもよい。
あるいは、プロジェクタ装置１０の動作中、フィルタ本体４４の回転を連続的に行ってもよい。あるいは、プロジェクタ装置１０の動作中、フィルタ本体４４の回転を間欠的に行ってもよい。
【００２７】
上部ローラ５２Ａと、一方の側部ローラ５２Ｃは蓋板５０で回転可能に支持されている。
下部ローラ５２Ｄと、他方の側部ローラ５２Ｂは筐体１２側で回転可能に支持されている。
蓋板５０を開くと、上部ローラ５２Ａと、一方の側部ローラ５２Ｃとがフィルタ収容室４２の上方に離間した箇所に位置し、フィルタ本体４４が装着されたフィルタ支持体４６の装脱が行われる。
したがって、蓋板５０を開放するといった極めて簡単な操作でフィルタ本体４４およびフィルタ支持体４６を交換することができるので、メンテナンス作業の容易化を図る上で有利となっている。
【００２８】
なお、図６乃至図９において符号５８は、環板部４６Ｂ，４６Ｃの端面に当接することでフィルタ支持体４６のフィルタ本体４４の軸方向への移動を規制する複数の規制ローラを示し、これら規制ローラ５８は筐体１２に設けられている。
【００２９】
エアフィルタ部３６では、外気がフィルタ本体４４の外周面から内周部に至り塵埃がフィルタ本体４４で除去されたのちフィルタ本体４４の軸方向に沿って流れ、フィルタ本体４４の外部に流されるように構成されている。本実施の形態では、フィルタ本体４４の内部からファン４０の吸い込み口４０Ａを経てファン４０の排出口から吐出され、冷却路３８を流れるように構成されている。
【００３０】
図１２に示すように、エアフィルタ部３６は、ブラシ６０と塵埃収容部６２とを更に備えている。
ブラシ６０は、フィルタ本体４４の外周面に接触するように支持部材６４を介して設けられている。
より詳細には、ブラシ６０はその先部が、フィルタ本体４４の全長にわたってフィルタ本体４４の中心軸と平行に直線状に延在して設けられている。
塵埃収容部６２は、ブラシ６０により掻き取られた塵埃を収容するものである。
塵埃収容部６２は、ブラシ６０よりもフィルタ本体４４の外周面の回転方向の上流側に設けられ、筐体１２の底部に壁部６６を介して形成されている。
したがって、フィルタ本体４４が回転することにより、フィルタ本体４４の外周面に付着した塵埃、特に、綿埃のように比較的大きな塵埃がブラシ６０によって掻き取られ、塵埃収容部６２に収容される。
なお、支持部材６４および壁部６６を含んだ塵埃収容部６２の部分（筐体１２の底部の部分）を、筐体１２に対して取り外し可能に構成してもよい。このように構成することで塵埃収容部６２からの塵埃を除去する、ブラシ６０を清掃、洗浄するなどのメンテナンスを簡単に行う上で有利となる。
【００３１】
次に冷却装置１８の作用について説明する。
プロジェクタ装置１０の電源が投入されると、冷却装置１８のファン４０が回転される。
ファン４０の回転により、外気が吸気口２０から筐体１２内部に取り込まれる。
筐体１２に取り込まれた外気は、フィルタ本体４４の外周面から内周部に至り塵埃がフィルタ本体４４で除去されたのち、ファン４０の吸い込み口４０Ａに吸い込まれる。
ファン４０の吸い込み口４０Ａに吸い込まれた外気は、ファン４０の排出口から冷却路３８の残り部分を通って、すなわち、光源装置１４、映像投影部１６を通ることにより、これら光源装置１４、映像投影部１６を冷却する。
光源装置１４、映像投影部１６を冷却した外気は、排気口２２から筐体１２の外部に排出される。
この際、フィルタ本体４４が回転駆動部４８により回転されると、フィルタ本体４４が回転される毎に、フィルタ本体４４の外周面から内周部に外気が通過するフィルタ本体４４の箇所が変化する。
【００３２】
本実施の形態によれば、フィルタ本体４４を円筒形とし、回転駆動部４８によってフィルタ支持体４６をフィルタ本体４４の中心軸を中心として回転することでフィルタ本体４４を回転させるようにした。
そのため、フィルタ本体４４を通過する外気の空気量がフィルタ本体４４の外周面に対して均一に分布しておらず、一部に集中して通過したとしても、フィルタ本体４４が回転するため、塵埃がフィルタ本体４４の一部に集中して付着することが抑制される。
そのため、フィルタ本体４４の全体にわたって平均して塵埃が付着し、フィルタ本体４４の一部に塵埃による目詰まりが生じにくくなる。
したがって、フィルタ本体４４を長期間にわたって使用しても、通過する空気量が低下しにくく、冷却機能の低下を抑制する上で有利となり、フィルタ本体４４、言い換えるとフィルタ部材の長寿命化を図る上で有利となる。
【００３３】
また、本実施の形態では、フィルタ本体４４が円筒形を呈しているため、フィルタ本体４４の表面積を確保しつつ、フィルタ収容室２４の小型化を図れ、ひいては、プロジェクタ装置１０の小型化を図る上で有利となる。
また、本実施の形態では、フィルタ本体４４が円筒形を呈しているため、フィルタ本体４４の表面積が確保されている。そのため、万一、回転駆動部４８が故障してフィルタ本体４４の回転が停止したとしても、短期間で塵埃による目詰まりが発生することを回避できる。
また、本実施の形態では、ファン４０が吸い込み口４０Ａを介して円筒形のフィルタ本体４４の内周部に連通している。そのため、ファン４０で生じる騒音をフィルタ本体４４の吸音効果によって抑制することができ、プロジェクタ装置１０の低騒音化を図る上で有利となる。
【００３４】
なお、本実施の形態では、吸気口２０がフィルタ本体４４の外周面の上下中間部に対向する側面部５０Ｂに設けられている場合について説明した。
しかしながら、フィルタ本体４４が円筒状を呈しているため、吸気口２０を、フィルタ本体４４の上方に対向する筐体１２の上面１２Ｃ部分やフィルタ本体４４の下方に対向する筐体１２の下面１２Ｄ部分に追加して設けることも可能である。
このように吸気口２０を複数箇所に設けることにより、筐体１２内部に取り込む外気の空気量を確保する上で有利となり、冷却装置１８の冷却能力の向上を図る上で有利となる。
また、吸気口２０を、一方の環板部４６Ｂに対向する筐体１２の前面１２Ａ部分に追加して設けてもよく、その場合には、筐体１２内部に取り込む外気の空気量を確保する上でより有利となり、冷却装置１８の冷却能力の向上を図る上でより一層有利となる。
【００３５】
（第２の実施の形態）
次に第２の実施の形態について説明する。
図１３は第２の実施の形態におけるブラシ６０および塵埃収容室６２の構成を示す説明図である。なお、以下の実施の形態では、第１の実施の形態と同一あるいは同様の部分、部材には同一の符号を付して重複する説明を省略する。
第２の実施の形態は第１の実施の形態の変形例であり、塵埃収容部６２の構成が異なっている。
回転駆動部４８（図５）は、フィルタ支持体４６を正逆転するように構成されている。
図１３に示すように、塵埃収容部６２は、ブラシ６０がフィルタ本体４４の外周面に接触する箇所に対して、外周面の回転方向の上流側と下流側にそれぞれ設けられている。
このような第２の実施の形態によれば、第１の実施の形態と同様の効果が奏される。
さらに、フィルタ支持体４６の回転方向を正逆転することにより、フィルタ本体４４の何れの回転によっても、フィルタ本体４４の外周面に付着した塵埃がブラシ６０によって掻き取られ、２つの塵埃収容部６２にそれぞれ収容される。
したがって、第１の実施の形態に比較してより多くの塵埃を２つの塵埃収容部６２に確実に収容でき、塵埃収容部６２のメンテナンス作業の負担を軽減する上で有利となる。
【００３６】
（第３の実施の形態）
次に第３の実施の形態について説明する。
図１４は第３の実施の形態におけるエアフィルタ部３６の構成を示す説明図である。
第３の実施の形態は第１の実施の形態の変形例であり、回転駆動部の構成が異なっている。
図１４に示すように、回転駆動部７０は、台座７２と、駆動ローラ７４とを含んで構成されている。
台座７２は、環板状を呈し回転可能に筐体１２に支持されている。
台座７２の中央にはファン４０の吸い込み口４０Ａが挿通される開口７２Ａが形成されている。
なお、開口７２Ａの内周面と吸い込み口４０Ａとの隙間を閉塞するための不図示のガスケットが開口７２Ａの内周面の全周にわたって設けられている。
このようなガスケットを設けることによって、フィルタ本体４４を通過していない空気が前記隙間から吸い込み口４０Ａに導かれることが防止されている。
【００３７】
フィルタ支持体４６の他方の環板部４６Ｃは、その中心軸を台座７２の中心軸に合致させた状態でねじＮによって台座７２に一体的に取着される。
駆動ローラ７４は、不図示のモータの出力軸に取着され台座７２の外周面に当接している。
前記不図示のモータにより駆動ローラ７４が回転されることにより、台座７２を介してフィルタ支持体４６およびフィルタ本体４４が回転される。
このような第３の実施の形態においても第１の実施の形態と同様の効果が奏される。
さらに第３の実施の形態では、第１の実施の形態の回転駆動部７０と違ってフィルタ本体４４を回転可能に支持する複数のローラ５２を用いないため、構成が簡素化され、小型化を図る上で有利となっている。
【００３８】
（第４の実施の形態）
次に第４の実施の形態について説明する。
図１５は第４の実施の形態におけるエアフィルタ部３６の構成を示す説明図である。
第４の実施の形態は第３の実施の形態の変形例であり、回転駆動部の構成が異なっている。
図１５に示すように、回転駆動部８０は、台座７２と、駆動ローラ７４と、雄ねじ部８２と、雌ねじ部８４とを含んで構成されている。
台座７２と駆動ローラ７４は第３の実施の形態と同様に構成されている。
雄ねじ部８２は、台座７２の中心軸と同軸上に形成された円筒状を呈し、その内周面はファン４０の吸い込み口４０Ａの周囲を囲んでいる。
雌ねじ部８４は、フィルタ支持体４６の他方の環板部４６Ｃに形成され、雄ねじ部８２と螺合するように構成されている。
【００３９】
環板部４６Ｃの雌ねじ部８４を台座７２の雄ねじ部８２に螺合することにより、フィルタ支持体４６は、その中心軸を台座７２の中心軸に合致させた状態で台座７２に一体的に取着される。
前記不図示のモータにより駆動ローラ７４が回転されることにより、台座７２を介してフィルタ支持体４６およびフィルタ本体４４が回転される。
このような第４の実施の形態においても第３の実施の形態と同様の効果が奏される。
【００４０】
なお、実施の形態では、エアフィルタ部３６を１つ設けた場合について説明したが、エアフィルタ部３６を２つ以上設けてもよいことは無論である。
【符号の説明】
【００４１】
１０……プロジェクタ装置、１２……筐体、１４……光源装置、１６……映像投影部、１８……冷却装置、２０……吸気口、２２……排気口、３６……エアフィルタ部、３８……冷却路、４０……ファン、４４……フィルタ本体、４６……フィルタ支持体、４８、７０、８０……回転駆動部。
【図１】
2010286704.tif 000003
【図２】
2010286704.tif 000004
【図３】
2010286704.tif 000005
【図４】
2010286704.tif 000006
【図５】
2010286704.tif 000007
【図６】
2010286704.tif 000008
【図７】
2010286704.tif 000009
【図８】
2010286704.tif 000010
【図９】
2010286704.tif 000011
【図１０】
2010286704.tif 000012
【図１１】
2010286704.tif 000013
【図１２】
2010286704.tif 000014
【図１３】
2010286704.tif 000015
【図１４】
2010286704.tif 000016
【図１５】
2010286704.tif 000017